(57)【要約】【課題】正確に温度を検出できる温度検出回路を提供する。【解決手段】温度センサ回路１５は、温度をセンシングし、温度に基づいた温度電圧Ｖｔｅｍｐを出力する。比較回路１７は、温度電圧Ｖｔｅｍｐと基準電圧Ｖｒｅｆとを比較し、温度が検出温度以上になったことを検出すると、検出信号Ｖｃ１を出力する。制御回路１８は、ノイズが検出信号Ｖｃ１に乗ると、または、電源電圧が所定電圧未満になると、検出信号Ｖｃ１を比較回路１７の出力端子から出力端子１４に伝播させない。【選択図】図１
2010043944.tif 000002
【特許請求の範囲】
【請求項１】
温度を検出する温度検出回路において、
前記温度をセンシングし、前記温度に基づいた温度電圧を出力する温度センサ回路と、
前記温度電圧と基準電圧とを比較し、前記温度が検出温度以上になったことを検出すると、第一検出信号を出力する第一比較回路と、
ノイズが前記第一検出信号に乗ると、または、電源電圧が所定電圧未満になると、前記第一検出信号を前記第一比較回路の出力端子から温度検出回路の出力端子に伝播させない制御回路と、
を備えることを特徴とする温度検出回路。
【請求項２】
前記第一比較回路の出力端子と前記制御回路の第一入力端子との間に設けられ、前記ノイズを除去するローパスフィルタ、
をさらに備えることを特徴とする請求項１記載の温度検出回路。
【請求項３】
電源電圧を分圧し、分圧電圧を出力する分圧回路と、
出力端子を前記制御回路の第二入力端子に設けられ、前記分圧電圧と基準電圧とを比較し、前記電源電圧が前記所定電圧未満になったことを検出すると、第二検出信号を出力する第二比較回路と、
をさらに備えることを特徴とする請求項１記載の温度検出回路。
【発明の詳細な説明】
【技術分野】
【０００１】
本発明は、温度を検出する温度検出回路に関する。
【背景技術】
【０００２】
従来の温度検出回路について説明する。図６は、従来の温度検出回路を示す図である。
【０００３】
ここで、温度が高くなると温度センサ回路５０の温度電圧Ｖｔｅｍｐも高くなり、温度が低くなると温度電圧Ｖｔｅｍｐも低くなるとする。つまり、温度電圧Ｖｔｅｍｐは、正の温度係数を持つ。
【０００４】
ある温度で、温度電圧Ｖｔｅｍｐが基準電圧生成回路５１の基準電圧Ｖｒｅｆ未満であるとすると、比較回路５２の検出信号Ｖｃはローになる。その後、温度が高くなり、温度電圧Ｖｔｅｍｐが基準電圧Ｖｒｅｆ以上になると、検出信号Ｖｃはハイになる。つまり、比較回路５２において、温度が検出温度以上になったことが検出される。この時、基準電圧Ｖｒｅｆが調整されると、検出温度も調整されるので、検出したい温度が任意に設定されることができる（例えば、特許文献１参照）。
【特許文献１】特開２００７−１７８３４２号公報
【発明の開示】
【発明が解決しようとする課題】
【０００５】
しかし、ノイズが比較回路５２の出力端子と温度検出回路の出力端子との間の信号に乗ったり、電源電圧が低くなったりすると、温度検出回路は正しい信号を出力できないで温度を誤検出してしまう可能性がある。
【０００６】
本発明は、このような点に鑑みてなされ、正確に温度を検出できる温度検出回路を提供する。
【課題を解決するための手段】
【０００７】
本発明は、上記課題を解決するため、温度を検出する温度検出回路において、前記温度をセンシングし、前記温度に基づいた温度電圧を出力する温度センサ回路と、前記温度電圧と基準電圧とを比較し、前記温度が検出温度以上になったことを検出すると、第一検出信号を出力する第一比較回路と、ノイズが前記第一検出信号に乗ると、または、電源電圧が所定電圧未満になると、前記第一検出信号を前記第一比較回路の出力端子から温度検出回路の出力端子に伝播させない制御回路と、を備えることを特徴とする温度検出回路を提供する。
【発明の効果】
【０００８】
本発明では、ノイズが第一検出信号に乗ると、または、電源電圧が所定電圧未満になると、制御回路は第一検出信号を第一比較回路の出力端子から温度検出回路の出力端子に伝播させないので、温度検出回路は正しい信号を出力して温度を誤検出しなくなる。
【発明を実施するための最良の形態】
【０００９】
以下、本発明の温度検出回路の実施形態を、図面を参照して説明する。
【００１０】
図１は、本発明の温度検出回路を示す図である。
【００１１】
［要素］本発明の温度検出回路は、電源端子１０、接地端子１１、入力端子１２〜１３及び出力端子１４を備える。本発明の温度検出回路は、温度センサ回路１５、基準電圧生成回路１６、比較回路１７、制御回路１８及び出力回路１９を備える。
【００１２】
制御回路１８は、ＮＯＲ回路１８ａ及びＮＡＮＤ回路１８ｂを有する。出力回路１９は、ＰＭＯＳトランジスタ１９ａ及びＮＭＯＳトランジスタ１９ｂを有する。
【００１３】
［要素の接続状況］温度センサ回路１５は、出力端子を比較回路１７の反転入力端子に接続される。基準電圧生成回路１６は、出力端子を比較回路１７の非反転入力端子に接続される。制御回路１８は、比較回路１７の出力端子と出力回路１９の入力端子との間に設けられる。出力回路１９は、出力端子を出力端子１４に接続される。
【００１４】
ＮＯＲ回路１８ａは、第一入力端子を比較回路１７の出力端子に接続され、第二入力端子を入力端子１２に接続される。ＮＡＮＤ回路１８ｂは、第一入力端子をＮＯＲ回路１８ａの出力端子に接続され、第二入力端子を入力端子１３に接続され、出力端子を出力回路１９の入力端子に接続される。ＰＭＯＳトランジスタ１９ａは、ゲートを制御回路１８の出力端子に接続され、ソースを電源端子１０に接続され、ドレインを出力端子１４に接続される。ＮＭＯＳトランジスタ１９ｂは、ゲートを制御回路１８の出力端子に接続され、ソースを接地端子１１に接続され、ドレインを出力端子１４に接続される。
【００１５】
［要素の機能］温度センサ回路１５は、温度をセンシングし、温度に基づいた温度電圧Ｖｔｅｍｐを出力する。基準電圧生成回路１６は、基準電圧Ｖｒｅｆ１を生成し、基準電圧Ｖｒｅｆ１を出力する。比較回路１７は、温度電圧Ｖｔｅｍｐと基準電圧Ｖｒｅｆ１とを比較し、温度が検出温度以上になったことを検出すると、検出信号Ｖｃ１を出力する。制御回路１８は、ノイズが検出信号Ｖｃ１に乗ると、または、電源電圧が所定電圧未満になると、検出信号Ｖｃ１を比較回路１７の出力端子から出力端子１４に伝播させない。出力回路１９は、検出信号Ｖｃ１に基づいた信号をドライブする。
【００１６】
次に、本発明の温度検出回路の動作について説明する。
【００１７】
ここで、温度が高くなると温度電圧Ｖｔｅｍｐも高くなり、温度が低くなると温度電圧Ｖｔｅｍｐも低くなるとする。つまり、温度電圧Ｖｔｅｍｐは、正の温度係数を持つ。
ある温度で、温度電圧Ｖｔｅｍｐが基準電圧Ｖｒｅｆ１未満であるとすると、検出信号Ｖｃ１はハイになる。その後、温度が高くなり、温度電圧Ｖｔｅｍｐが基準電圧Ｖｒｅｆ１以上になると、検出信号Ｖｃ１はローになる。つまり、比較回路１７において、温度が検出温度以上になったことが検出される。この時、基準電圧Ｖｒｅｆ１が調整されると、検出温度も調整されるので、検出したい温度が任意に設定されることができる。
【００１８】
［ノイズが検出信号Ｖｃ１に乗らず、電源電圧が所定電圧以上である場合の動作］この時、入力端子１２の電圧がローに固定され、入力端子１３の電圧がハイに固定される。そこで、温度が高くなると、温度電圧Ｖｔｅｍｐも高くなる。温度電圧Ｖｔｅｍｐが基準電圧Ｖｒｅｆ１以上になると、温度が検出温度以上になっている。よって、検出信号Ｖｃ１はローになる。すると、ＮＯＲ回路１８ａでは、第一入力端子の電圧がローであり、第二入力電圧の電圧がローであるので、出力端子の電圧はハイになる。ＮＡＮＤ回路１８ｂでは、第一入力端子の電圧がハイであり、第二入力電圧の電圧がハイであるので、出力端子の電圧はローになる。よって、出力端子１４の電圧はハイになり、温度が検出温度以上になったことが検出される。
【００１９】
［ノイズが検出信号Ｖｃ１に乗り、電源電圧が所定電圧以上である場合の動作］この時、入力端子１２の電圧がハイに固定され、入力端子１３の電圧がハイに固定される。ＮＯＲ回路１８ａでは、第二入力電圧の電圧がハイであるので、第一入力端子の電圧に拘らず、出力端子の電圧はローに固定される。ＮＡＮＤ回路１８ｂでは、第一入力端子の電圧がローであるので、第二入力電圧の電圧に拘らず、出力端子の電圧はハイに固定される。よって、出力端子１４の電圧はローに固定される。
【００２０】
［ノイズが検出信号Ｖｃ１に乗らず、電源電圧が所定電圧未満である場合の動作］この時、入力端子１２の電圧がローに固定され、入力端子１３の電圧がローに固定される。ＮＡＮＤ回路１８ｂでは、第一入力端子の電圧がローであるので、第二入力電圧の電圧に拘らず、出力端子の電圧はハイに固定される。よって、出力端子１４の電圧はローに固定される。
次に、ノイズが検出信号Ｖｃ１に乗ると入力端子１２の電圧がハイに固定されるよう動作するノイズ除去回路の構成について説明する。図２は、本発明の温度検出回路のノイズ除去回路を示す図である。
【００２１】
［要素］ノイズ除去回路は、ローパスフィルタ２０を有する。
【００２２】
［要素の接続状況］ローパスフィルタ２０は、比較回路１７の出力端子と入力端子１２との間に設けられる。
【００２３】
［要素の機能］ローパスフィルタ２０は、ノイズを除去する。
【００２４】
次に、本発明の温度検出回路のノイズ除去動作について説明する。図３は、本発明の温度検出回路のノイズ除去動作を示すタイムチャートである。
【００２５】
［温度が検出温度以上になったことが検出されないで、ノイズが検出信号Ｖｃ１に乗る場合の動作］検出信号Ｖｃ１がハイであり、ノイズが検出信号Ｖｃ１に乗ることにより、検出信号Ｖｃ１が瞬間的にローになっても、ローパスフィルタ２０の出力電圧はハイのままであり、ローパスフィルタ２０の出力電圧は変化しない。この時、ＮＯＲ回路１８ａでは、第一入力端子の電圧が瞬間的にローになっても、第二入力端子の電圧がハイに固定されるので、出力端子の電圧はローに固定される。よって、検出信号Ｖｃ１が比較回路１７の出力端子から出力端子１４に伝播しなくなる。
【００２６】
［温度が検出温度以上になったことが検出される場合の動作］検出信号Ｖｃ１がローになり、ローパスフィルタ２０の出力電圧も徐々にローになる。この時、ＮＯＲ回路１８ａでは、第一入力端子の電圧がローになり、第二入力端子の電圧もローになるので、出力端子の電圧はハイになる。つまり、第二入力端子の電圧がローであるので、ＮＯＲ回路１８ａは第一入力端子と出力端子とでインバータ回路として動作している。
【００２７】
次に、電源電圧が所定電圧未満であると入力端子１３の電圧がローに固定されるよう動作する電源電圧検出回路の構成について説明する。図４は、本発明の温度検出回路の電源電圧検出回路を示す図である。
【００２８】
［要素］本発明の温度検出回路の電源電圧検出回路は、分圧回路３０、基準電圧生成回路３１及び比較回路３２を有する。
【００２９】
［要素の接続状況］分圧回路３０は、電源端子１０と接地端子１１との間に設けられる。比較回路３２は、非反転入力端子を分圧回路３０の出力端子に接続され、反転入力端子を基準電圧生成回路３１の出力端子に接続され、出力端子を入力端子１３に接続される。
【００３０】
［要素の機能］分圧回路３０は、電源電圧を分圧し、分圧電圧Ｖｆｂを出力する。基準電圧生成回路３１は、基準電圧Ｖｒｅｆ２を生成し、基準電圧Ｖｒｅｆ２を出力する。比較回路３２は、分圧電圧Ｖｆｂと基準電圧Ｖｒｅｆ２とを比較し、電源電圧が所定電圧未満になったことを検出すると、検出信号Ｖｃ２を出力する。
【００３１】
次に、本発明の温度検出回路の電源電圧検出回路の動作について説明する。図５は、本発明の温度検出回路の電源電圧検出回路の出力電圧を示すタイムチャートである。
【００３２】
［電源電圧が所定電圧未満である場合の動作］電源電圧が低く、分圧電圧Ｖｆｂも低く、分圧電圧Ｖｆｂが基準電圧Ｖｒｅｆ２未満であると、検出信号Ｖｃ２の電圧がローになり、電源電圧が所定電圧未満であることが検出される。この時、ＮＡＮＤ回路１８ｂでは、第二入力端子の電圧がローに固定されるので、第一入力端子の電圧に拘らず、出力端子の電圧はハイに固定される。よって、検出信号Ｖｃ１が比較回路１７の出力端子から出力端子１４に伝播しなくなる。
【００３３】
［電源電圧が所定電圧以上である場合の動作］電源電圧が高く、分圧電圧Ｖｆｂも高く、分圧電圧Ｖｆｂが基準電圧Ｖｒｅｆ２以上であると、検出信号Ｖｃ２の電圧がハイになり、電源電圧が所定電圧以上であることが検出される。この時、第二入力端子の電圧がハイであるので、ＮＡＮＤ回路１８ｂは第一入力端子と出力端子とでインバータ回路として動作する。
【００３４】
［効果］このようにすると、ノイズが検出信号Ｖｃ１に乗ると、または、電源電圧が所定電圧未満になると、制御回路１８は検出信号Ｖｃ１を比較回路１７の出力端子から出力端子１４に伝播させないので、温度検出回路は正しい信号を出力して温度を誤検出しなくなる。
【００３５】
［補足］なお、ノイズ除去回路が不要な場合、入力端子１２が削除され、ＮＯＲ回路１８ａがインバータ回路（図示せず）に変更されても良い。
【００３６】
また、電源電圧検出回路が不要な場合、入力端子１３が削除され、ＮＡＮＤ回路１８ｂがインバータ回路（図示せず）に変更されても良い。
【００３７】
また、制御回路１８は、ＮＯＲ回路１８ａ及びＮＡＮＤ回路１８ｂによって構成されているが、これに限定されない。具体的には、ノイズが検出信号Ｖｃ１に乗ると、または、電源電圧が所定電圧未満になると、検出信号Ｖｃ１が比較回路１７の出力端子から出力端子１４に伝播しなければ良い。
【００３８】
また、比較回路１７の非反転入力端子及び反転入力端子は接続先を交換し、比較回路１７の出力端子にインバータ回路（図示せず）が挿入されても良い。
また、比較回路３２の非反転入力端子及び反転入力端子は接続先を交換し、比較回路３２の出力端子にインバータ回路（図示せず）が挿入されても良い。
また、温度センサ回路１５では、温度が高くなると温度電圧Ｖｔｅｍｐも高くなり、温度が低くなると温度電圧Ｖｔｅｍｐも低くなっているが、温度が高くなると温度電圧Ｖｔｅｍｐが低くなり、温度が低くなると温度電圧Ｖｔｅｍｐが高くなっても良い。つまり、温度電圧Ｖｔｅｍｐは、負の温度係数を持っても良い。この時、比較回路１７の非反転入力端子及び反転入力端子は接続先を交換する。
【図面の簡単な説明】
【００３９】
【図１】本発明の温度検出回路を示す図である。
【図２】本発明の温度検出回路のノイズ除去回路を示す図である。
【図３】本発明の温度検出回路のノイズ除去動作を示すタイムチャートである。
【図４】本発明の温度検出回路の電源電圧検出回路を示す図である。
【図５】本発明の温度検出回路の電源電圧検出回路の出力電圧を示すタイムチャートである。
【図６】従来の温度検出回路を示す図である。
【符号の説明】
【００４０】
１０  電源端子                    １１  接地端子
１２〜１３  入力端子              １４  出力端子
１５  温度センサ回路              １６  基準電圧生成回路
１７  比較回路                    １８  制御回路
１９  出力回路                    １８ａ  ＮＯＲ回路
１８ｂ  ＮＡＮＤ回路              １９ａ  ＰＭＯＳトランジスタ
１９ｂ  ＮＭＯＳトランジスタ
【図１】
2010043944.tif 000003
【図２】
2010043944.tif 000004
【図３】
2010043944.tif 000005
【図４】
2010043944.tif 000006
【図５】
2010043944.tif 000007
【図６】
2010043944.tif 000008